(57)【特許請求の範囲】
【請求項１】
艇体下半部のハルを載せるハル台車が走行する走行路を環状に設け、この走行路に、前記ハル台車にハルを載せるハル搬入ステージと、ハル台車に載せたハルにエンジンを搭載するエンジン搭載ステージと、エンジンを搭載したハルに接着剤を塗布する接着剤塗布ステージと、接着剤を塗布したハルにデッキを被せるデッキ組付けステージと、ハル及びデッキの接着部をクランプするクランプステージと、接着部をクランプした状態で接着剤を硬化する硬化ステージと、接着剤を硬化して小型滑走艇を完成させた後、完成した小型滑走艇を検査エリアに搬出する完成艇搬出ステージと、をこの順に配置した小型滑走艇の製造装置であって、
前記ハル台車の走行路のデッキ組付けステージに隣接させて、艇体上半部のデッキを載せるデッキ台車が走行するサブ走行路を環状に設け、このサブ走行路に、
前記デッキ台車にデッキを載せるデッキ搬入ステージと、
デッキ台車に載せたデッキに付属部品を組付けるデッキ部品結合ステージと、
附属品を組付けたデッキを、前記デッキ組付けステージのハルに被せるために搬出するデッキ搬出ステージと、をこの順に配置したことを特徴とする小型滑走艇の製造装置。
【発明の詳細な説明】
【０００１】
【発明の属する技術分野】
本発明は、艇体の下半部を構成するハルにエンジンを搭載し、エンジンを搭載したハルに接着剤でデッキを接着して小型滑走艇を製造する小型滑走艇の製造装置に関する。
【０００２】
【従来の技術】
小型艇として、艇体の後部にジェットポンプを取付け、このジェットポンプをエンジンで駆動することにより艇底から水を吸込み、吸込んだ水を後方に噴射して推進する小型滑走艇が知られている。この小型滑走艇を製造する装置の一例を次図において説明する。
【０００３】
図９は従来の小型滑走艇の製造装置を示す平面図である。
小型滑走艇の製造装置２００は、艇体下半部のハル２０１を載せる台車２０２が走行する走行路２０３を直線状に設け、この直線状の走行路２０３に、搬入部２０５から搬出部２０６に向けて、搬入ステージ２０７、エンジン搭載ステージ２０８、接着剤塗布ステージ２０９、デッキ組付けステージ２１０、クランプステージ（図示しない）、硬化ステージ２１２及び完成艇搬出ステージ（図示しない）をこの順に配置する。
【０００４】
この製造装置２００で小型滑走艇２１５を組立てる際には、先ず走行路２０３の搬入ステージ２０７で台車２０２にハル２０１を載せ、ハル２０１を台車２０２に載せた後、エンジン搭載ステージ２０８でハル２０１にエンジン２１６を搭載する。
次に、エンジン２１６を搭載したハル２０１に接着剤２１７を塗布し、接着剤２１７を塗布したハル２０１をデッキ組付けステージ２１０まで搬送する。
【０００５】
ここで、デッキ組付けステージ２１０の右側に、附属品を組付けたデッキ２１８を搬送し、このデッキ２１８をデッキ組付けステージ２１０のハル２０１に被せる。ハル２０１にデッキ２１８を被せた後、クランプステージ２１１でハル２０１及びデッキ２１８の接着部をクランプし、硬化ステージ２１２で接着剤２１７を硬化する。
【０００６】
接着剤２１７を硬化して小型滑走艇２１５を完成させた後、完成した小型滑走艇２１５を完成艇搬出ステージで検査エリア２１９に搬出する。完成艇搬出ステージから搬出した小型滑走艇２１５は、検査エリア２１９において小型滑走艇２１５の水ジェット性能が規定を満たしているか否かの検査をおこない、検査にパスした小型滑走艇２１５を梱包して出荷する。
【０００７】
一方、完成艇搬出ステージで検査エリア２１９に小型滑走艇２１５を搬出した後、完成艇搬出ステージに残った空の台車２０２を戻り走行路２２０を利用して搬入ステージ２０７に戻す。この空の台車２０２を搬入ステージ２０７に戻した後、空の台車２０２にハル２０１を載せて、上記製造工程を順次繰り返す。
【０００８】
【発明が解決しようとする課題】
ところで、小型滑走艇の製造装置２００は、台車２０２が走行する走行路２０３を直線状に設けているので走行路２０２の全長が長くなる。このため、小型滑走艇の製造装置２００を、例えば工場内に備えるためには工場内に大きなスペースを必要とする。
【０００９】
また、走行路２０２を直線状に設けることで、完成艇搬出ステージで空になった台車２０２を搬入ステージ２０７に戻すための戻り走行路２２０を必要とする。加えて、完成艇搬出ステージで空になった台車を、戻り走行路２２０を用いて搬入ステージ２０７に連続的に戻すためには、戻り走行路２２０上に空の台車２０２を密集させて連続的に配置する必要がある。このため、小型滑走艇の製造装置２００に使用する台車２０２の数が増える。
このように、戻り走行路２２０を備えるととも、台車２０２の使用台数が増えることが設備費を抑える妨げになる。
【００１０】
設備費を下げるために、台車の使用台数を減らすことが考えられる。しかしながら、台車の使用台数を減らすと、完成艇搬出ステージ２１３で空になった台車２０２を搬入ステージ２０７に連続的に戻すことができなくなり、そのことが小型滑走艇２１５の生産効率を高める妨げになる。
【００１１】
そこで、本発明の目的は、小さなスペースに設置することができ、また設備費を抑えることができ、さらに生産性を高めることができる小型滑走艇の製造装置を提供することにある。
【００１２】
【課題を解決するための手段】
上記目的を達成するために請求項１は、艇体下半部のハルを載せるハル台車が走行する走行路を環状に設け、この走行路に、前記ハル台車にハルを載せるハル搬入ステージと、ハル台車に載せたハルにエンジンを搭載するエンジン搭載ステージと、エンジンを搭載したハルに接着剤を塗布する接着剤塗布ステージと、接着剤を塗布したハルにデッキを被せるデッキ組付けステージと、ハル及びデッキの接着部をクランプするクランプステージと、接着部をクランプした状態で接着剤を硬化する硬化ステージと、接着剤を硬化して小型滑走艇を完成させた後、完成した小型滑走艇を検査エリアに搬出する完成艇搬出ステージと、をこの順に配置したことを特徴とする。
【００１３】
艇体下半部のハルを載せるハル台車が走行する走行路を環状に設け、この走行路にハルを小型滑走艇に組付けるための各ステージを順に配置した。このように、走行路を環状にすることで走行路をコンパクトにすることができる。
また、環状に設けた走行路にそれぞれのステージを順に配置することで、ハル搬入ステージと完成艇搬出ステージとを隣接させて配置することができる。これにより、完成艇搬出ステージで空になった台車をハル搬入ステージに短時間で戻すことができる。
【００１４】
さらに、走行路を環状に設けることで、ハル搬入ステージと完成艇搬出ステージとを隣接させて配置することができる。これにより、従来技術のように、完成艇搬出ステージからハル搬入ステージに空の台車を戻すための戻り走行路を備える必要がない。加えて、戻り走行路上に台車を密集させて連続的に配置する必要がないので、台車の使用台数を減らすことができる。
【００１５】
また、請求項１は、ハル台車の走行路のデッキ組付けステージに隣接させて、艇体上半部のデッキを載せるデッキ台車が走行するサブ走行路を環状に設け、このサブ走行路に、前記デッキ台車にデッキを載せるデッキ搬入ステージと、デッキ台車に載せたデッキに付属部品を組付けるデッキ部品結合ステージと、附属品を組付けたデッキを、前記デッキ組付けステージのハルに被せるために搬出するデッキ搬出ステージと、をこの順に配置したことを特徴とする。
【００１６】
サブ走行路を環状に設けることで、デッキ搬入ステージとデッキ搬出ステージとを隣接させて配置することができる。これにより、デッキ搬出ステージで空になった台車をデッキ搬入ステージに短時間で戻すことができる。
【００１７】
このように、サブ走行路の作業を効率よくおこなうことで、デッキの生産工程をハルの生産工程に同期させることができる。従って、デッキ組付けステージにハルが到達する時期に合せて、デッキ搬出ステージにデッキを到達させることができるので、ハルにデッキを組付ける作業を効率よくおこなうことができる。
【００１８】
また、サブ走行路を環状に設けることで、走行路と同様に、デッキ搬出ステージからデッキ搬入ステージに空の台車を戻すための戻り走行路を備える必要がない。加えて、戻り走行路上に台車を密集させて連続的に配置する必要がないので、台車の使用台数を減らすことができる。
【００１９】
【発明の実施の形態】
本発明の実施の形態を添付図に基づいて以下に説明する。なお、図面は符号の向きに見るものとする。
図１は本発明に係る小型滑走艇の製造装置を示す平面図である。
小型滑走艇の製造装置１０は、艇体下半部のハル１１を載せるハル台車１２が走行する走行路１３を環状に設け、この走行路１３に、ハル搬入ステージ１４、第１部品結合ステージ１６、エンジン搭載ステージ１８、第２部品結合ステージ２０、接着剤塗布ステージ２２、デッキ組付けステージ２４、クランプステージ２６、硬化ステージ２８、第３部品結合ステージ３０、完成艇搬出ステージ３２とをこの順に備える。
【００２０】
ハル搬入ステージ１４は、ハル台車１２にハル１１を載せるステージであり、第１部品結合ステージ１６は、ハル台車１２に載せたハル１１に操作ケーブルなどの付属部品を取付けるステージである。
エンジン搭載ステージ１８は、操作ケーブルなどの付属部品を取付けたハル１１にエンジン３３を搭載するステージであり、第２部品結合ステージ２０は、エンジン３３を搭載したハル１１にヒュエルホースなど付属部品を取付けるステージである。
【００２１】
接着剤塗布ステージ２２は、ヒュエルホースなど付属部品を取付けたハル１１に接着剤３４を塗布するステージであり、デッキ組付けステージ２４は、接着剤３４を塗布したハル１１にデッキ３５を被せるステージである。
クランプステージ２６は、ハル１１及びデッキ３５の接着部（周縁）１１ａ，３５ａをクランプするステージであり、硬化ステージ２８は、それぞれの周縁１１ａ，３５ａをクランプした状態で接着剤３４を硬化するステージである。
【００２２】
第３部品結合ステージ３０は、接着剤３４を硬化さえた艇体３６にシートなどの付属部品を取付けるステージであり、完成艇搬出ステージ３２は、シートなどの付属部品を取付けて小型滑走艇３７を完成させた後、完成した小型滑走艇３７を検査エリア３８に搬出するステージである。
なお、図１では検査エリア３８の一部を走行路１３の上方にオーバーラップさせ、空のハル台車１２を検査エリア３８の下方を走行するように構成した状態を示すが、検査エリア３８を走行路１３から離して付設することももちろん可能である。
【００２３】
また、小型滑走艇の製造装置１０は、ハル台車１２の走行路１３のデッキ組付けステージ２４に隣接させて、艇体上半部のデッキ３５を載せるデッキ台車３９が走行するサブ走行路４０を環状に設け、このサブ走行路４０に、デッキ搬入ステージ４１、デッキ部品結合ステージ４３及び搬出するデッキ搬出ステージ４５とをこの順に備える。
【００２４】
デッキ搬入ステージ４１は、デッキ台車３９にデッキ３５を載せるステージであり、デッキ部品結合ステージ４３は、デッキ台車３９に載せたデッキ３５に付属部品を組付けるステージであり、デッキ搬出ステージ４５は、附属品を組付けたデッキ３５を、デッキ組付けステージ２４のハル１１に被せるために搬出するステージである。
【００２５】
ハル台車１２の走行路１３は、ハル搬入ステージ１４から第１部品結合ステージ１６、エンジン搭載ステージ１８及び第２部品結合ステージ２０を経て接着剤塗布ステージ２２まで直線状に延び、接着剤塗布ステージ２２からデッキ組付けステージ２４を経てクランプステージ２６まで略湾曲状に延び、クランプステージ２６から硬化ステージ２８及び第３部品結合ステージ３０を経て完成艇搬出ステージ３２まで直線状に延び、完成艇搬出ステージ３２からハル搬入ステージ１４まで略湾曲状に延びたものである。
【００２６】
ハル搬入ステージ１４と、ハル１１をストックするハルストックエリア５０との間に第１移載装置５１を備え、この第１移載装置５１でハルストックエリア５０のハル１１をハル搬入ステージ１４まで搬送し、ハル搬入ステージ１４のハル台車１２にハル１１を載せる。
【００２７】
エンジン搭載ステージ１８と、エンジン３３をストックするエンジンストックエリア５３との間に第２移載装置５４を備え、この第２移載装置５４でエンジンストックエリア５３のエンジン３３をエンジン搭載ステージ１８まで搬送し、エンジン搭載ステージ１８のハル１１にエンジン３３を載せる。
【００２８】
デッキ組付けステージ２４とサブ走行路４０のデッキ搬出ステージ４５との間に第３移載装置５６を備え、この第３移載装置５６でデッキ搬出ステージ４５のデッキ３５をデッキ組付けステージ２４まで搬送し、搬送したデッキ３５をデッキ組付けステージ２４のハル１１に被せる。
【００２９】
完成艇搬出ステージ３２及び検査エリア３８の近傍にクレーン５７を備え、このクレーン５７で完成艇搬出ステージ３２の小型滑走艇３７を検査エリア３８まで搬送し、検査エリア３８の検査位置９０に小型滑走艇３７を配置する。
【００３０】
サブ走行路４０は、デッキ搬入ステージ４１からデッキ部品結合ステージ４３まで直線状に延び、デッキ部品結合ステージ４３からデッキ搬出ステージ４５まで湾曲状→直線状→湾曲状に延び、デッキ搬出ステージ４５からデッキ搬入ステージ４１まで湾曲状に延びたものである。
【００３１】
デッキ搬入ステージ４１とデッキ３５をストックするデッキストックエリア５８との間に第４移載装置５９を備え、この第４移載装置５９でデッキストックエリア５８のデッキ３５をデッキ搬入ステージ４１まで搬送し、デッキ搬入ステージ４１のデッキ台車３９にデッキ３５を載せる。
【００３２】
次に、小型滑走艇の製造装置１０の作用を図１〜図８に基づいて説明する。
図１に示すハル搬入ステージ１４において、第１移載装置５１を使用してハル台車１２にハル１１を載せる。次に、第１部品結合ステージ１６においてハル１１に操作ケーブルなどの付属部品を取付け、このハル１１をエンジン搭載ステージ１８まで搬送する。
【００３３】
図２は本発明に係る小型滑走艇の製造装置の作用を示す第１作用説明図であり、エンジン搭載ステージ１８の各工程を説明した図である。
ハル１１に付属部品を取付けた後、エンジン搭載ステージ１８において第２移載装置５４（図１に示す）を使用してハル１１にエンジン３３を搭載する。
【００３４】
なお、１３ａはガイド溝であり、ガイド溝１３ａにハル台車１２の底部から下方に延びる突出部（図示しない）を嵌め込むことにより、ハル台車１２を走行路１３に沿って走行させることができる。
このように、エンジン搭載ステージ１８においてエンジン３３を搭載したハル１１を第２部品結合ステージ２０まで搬送する。
【００３５】
図３は本発明に係る小型滑走艇の製造装置の作用を示す第２作用説明図であり、第２部品結合ステージ２０及び接着剤塗布ステージ２２の各工程を説明した図である。
第２部品結合ステージ２０において、エンジン３３を搭載したハル１１にヒュエルホースなど付属部品を取付けた後、接着剤３４を接着剤塗布ステージ２２において接着剤塗布装置６０を使用してハル１１に接着剤３４を塗布する。
【００３６】
接着剤塗布装置６０は、４本の支柱６１・・・（・・・は複数個を示す）で天井部６２を支える架台６３と、この架台６３の天井部６２に沿って矢印Ｘ−Ｘ方向に移動自在に設けた移動梁部６４と、この移動梁部６４に沿ってＹ−Ｙ方向に移動自在に設けたキャリッジ６５と、このキャリッジ６５に取付けた案内部材６６と、この案内部材６６に昇降自在に設けた昇降ロッド６７と、この昇降ロッド６７の下端部に設けた手元スイッチボックス６８及び接着剤塗布ガン７１と、キャリッジ６５に搭載して昇降ロッド６７を昇降自在に吊り下げる吊り部材７２と、この吊り部材７２に備えて昇降ロッド６７、手元スイッチボックス６８及び接着剤塗布ガン７１の重量を相殺するカウンタバランス手段７３とを備える。
【００３７】
接着剤塗布装置６０によれば、接着剤塗布ガン７１に備えた一対のグリップ部７１ａ，７１ａを握ることにより、接着剤塗布ガン７１のノズル７１ｂをハル１１の周縁１１ａに沿わせて移動することにより、ハル１１の周縁１１ａに接着剤３４を塗布する。さらに、周縁１１ａへの接着剤３４の塗布が完了した後、ハル１１内部の一対の隆起部１１ｂ，１１ｂに接着剤３４（図１に示す）を塗布する。
接着剤塗布ステージ２２において接着剤塗布装置６０でハル１１に接着剤３４を塗布した後、ハル１１をデッキ組付けステージ２４まで搬送する。
【００３８】
図４は本発明に係る小型滑走艇の製造装置の作用を示す第３作用説明図であり、デッキ組付けステージ２４の工程を説明した図である。
ハル１１に接着剤３４を塗布した後、デッキ組付けステージ２４において、第３移載装置５６（図１に示す）を使用してサブ走行路４０のデッキ搬出ステージ４５のデッキ３５をデッキ組付けステージ２４まで搬送し、搬送したデッキ３５をデッキ組付けステージ２４のハル１１に被せる。
デッキ組付けステージ２４でハル１１にデッキ３５を被せた後、このハル１１をクランプステージ２６まで搬送する。
【００３９】
図５（ａ），（ｂ）は本発明に係る小型滑走艇の製造装置の作用を示す第４作用説明図であり、クランプステージ２６の工程を説明した図である。なお、（ｂ）は（ａ）のｂ−ｂ線断面図を示す。
（ａ）に示すように、ハル１１にデッキ３５を被せてハル１１の周縁１１ａ（（ｂ）に示す）にデッキ３５の周縁３５ａを重ね合わせた後、クランプステージ２６において、この重合せ部（すなわち、艇体３６の周縁）３６ａを複数のクランプ７５で挟持する。
【００４０】
（ｂ）は、艇体３６の周縁３６ａをクランプ７５で挟持した状態を示す。クランプ７５は上下の握部７６ａ，７６ｂを閉じて上下の把持片７７ａ，７７ｂを閉じることにより、上下の把持片７７ａ，７７ｂで艇体３６の周縁３６ａを挟持することができる。
【００４１】
このように、艇体３６の周縁３６ａをクランプ７５で挟持することにより、ハル１１の周縁１１ａにデッキ３５の周縁３５ａを押圧して、ハル１１の周縁１１ａとデッキ３５の周縁３５ａとに接着剤を密着させることができる。
クランプステージ２６においてクランプ７５・・・で艇体３６の周縁３６ａを挟持した後、この艇体を硬化ステージ２８に搬送する。
【００４２】
図１に示すように、硬化ステージ２８には走行路１３の内側と外側にそれぞれ接着剤硬化促進装置８０，８０を備える。この接着剤硬化促進装置８０で接着剤を硬化させる際には、硬化ステージ２８まで搬送した艇体３６（ハル１１にデッキ３５を被せたもの）を走行路１３に対して９０゜旋回する。この旋回した艇体３６を、未使用状態である外側の接着剤硬化促進装置８０内に矢印の如く搬入し、接着剤硬化促進装置８０でハル１１に塗布下した接着剤３４を硬化する。
【００４３】
このように、走行路１３の内側と外側にそれぞれ接着剤硬化促進装置８０，８０を備えることで、内外の接着剤硬化促進装置８０，８０を交互に使用することができるので、接着剤の硬化工程を効率よくおこなうことができる。
なお、走行路１３の内側と外側に備える接着剤硬化促進装置８０，８０の個数は、それぞれ一個づつに限定するものではなく、生産ラインの生産台数に応じて、走行路１３の内外にそれぞれ３個づつ備えることも可能である。
【００４４】
ここで、一般に使用されている通常の接着剤硬化促進装置は、直線上に延びた硬化炉（乾燥炉）の一端（すなわち、搬入口）から艇体３６を搬入し、硬化炉内で接着剤を硬化させ、その後硬化炉の他端（搬出口）から搬出するように構成されている。
このため、この硬化炉が大型になり、この硬化炉を生産ライン（すなわち、走行路）に備えると、接着剤の硬化に時間がかかり、そのことが生産効率を上げる妨げになる。加えて、大型の硬化炉を生産ラインに備えるために、生産ラインをコンパクトに抑える妨げになっていた。
【００４５】
これに対して、硬化ステージ２８の接着剤硬化促進装置８０は走行路１３の内側や外側に備えることが可能であり、生産ラインをコンパクトにまとめることができる。
さらに、複数の接着剤硬化促進装置８０でそれぞれ艇体３６を個別に搬入して、接着剤を硬化させることができるので、接着剤が硬化した艇体３６を接着剤硬化促進装置８０から迅速に搬出することができる。
これにより、接着剤の硬化を効率よく実施することができ、生産効率を高めることができる。
次に、接着剤硬化促進装置８０を図６に基づいて細説する。
【００４６】
図６（ａ），（ｂ）は本発明に係る小型滑走艇の製造装置の作用を示す第５作用説明図であり、硬化ステージ２８の工程を説明した図である。
（ａ）に示すように接着剤硬化促進装置８０は、艇体３６を囲う枠体８１と、この艇体３６を艇頭３６ｂ又は艇尾３６ｃから出入れするために枠体８１に設けた開閉可能なゲート８２と、このゲート８２から枠体８１内に進入させた艇体３６の周縁３６ａに温風を吹付ける温風吹付け手段８５とを備える。
【００４７】
接着剤硬化促進装置８０によれば、（ａ）において、ゲート８２を構成する左右のゲート部材８３，８４を、それぞれ支持ピン８３ａ，８４ａを軸に外側に開くことで、ゲート８２を開放する。この状態で、艇体３６を載せたハル台車１２を矢印の如くゲート８２を通して枠体３６内に搬入する。
【００４８】
（ｂ）において、枠体８２内に艇体３６を搬入した後、左右のゲート部材８３，８４を閉めることにより、ゲート８２を閉じ、ノズル８６から温風を吹出し、吹出した温風を艇体３６の周縁３６ａに吹き付ける。
これにより、艇体３６の周縁３６ａに塗布した接着剤３４を効率よく硬化することができる。
【００４９】
硬化ステージ２８で艇体３６の接着剤３４を硬化させた後、この艇体３６を第３部品結合ステージ３０（図１に示す）まで搬送し、この艇体３６にシートなどの付属部品を取付けることにより小型滑走艇３７を完成させる。次に、完成させた小型滑走艇３７を完成艇搬出ステージ３２まで搬送した後、完成艇搬出ステージ３２から検査エリア３８に搬出する。
【００５０】
図７は本発明に係る小型滑走艇の製造装置の作用を示す第６作用説明図であり、検査エリア３８における小型滑走艇３７の性能を検査する工程を説明した図である。
検査装置９０は、小型滑走艇３７をセットする水槽９１と、この水槽９１内に設けた仕切り壁９２及び水流案内板９３とを備え、小型滑走艇３７のジェット性能を検査する装置である。
【００５１】
検査装置９０で小型滑走艇３７のジェット性能を検査する際には、先ず水槽９１内の所定位置に小型滑走艇３７をセットして掛止部材９４・・・でセット位置に静止する。
この状態で、小型滑走艇３７の艇尾から水ジェット９５を後方に噴射すると、水ジェット９５が水流案内板９３・・・間に流入し、水流案内板９３・・・で矢印の如く案内される。
【００５２】
これにより、水槽９１内の水９６は仕切り壁９２の反対側に流れ、水槽９１内を循環する。このように、小型滑走艇３７から水ジェット９５を噴射した際に、水槽９１内の水９６を循環させて円滑に流すことができるので、小型滑走艇３７の水ジェット性能を精度よく検査することができる。
【００５３】
図８は本発明に係る小型滑走艇の製造装置の作用を示す第７作用説明図であり、サブ走行路４０においてデッキ部品結合ステージ４３の工程を説明した図である。
デッキ台車３９はデッキ反転手段１００を備える。デッキ反転手段１００は、前サポート部材１０１の前水平軸１０２にデッキ３５の前端部３５ｂを把持する前把持部１０３を備え、後サポート部材１０５の後水平軸（図示しない）にデッキ３５の後端部３５ｃを把持する後把持部１０７を備える。
【００５４】
デッキ反転手段１００によれば、前把持部１０３でデッキ３５の前端部３５ｂをクランプし、後把持部１０７でデッキ３５の後端部３５ｃをクランプすることにより、デッキ３５を水平に、かつ回転自在に支えることができる。
よって、デッキ３５の表面側に付属部品を取付ける際に、作業者１０８は自然な姿勢で作業をおこなうことができる。
【００５５】
加えて、デッキ３５の裏面側に付属部品を取付ける際には、デッキ３５を反転させることで、作業者１０８は自然な姿勢で作業をおこなうことができる。
このように、作業者１０８が自然な姿勢で作業をおこなうことができるので、作業効率を高めることができる。
【００５６】
なお、前記実施形態では、走行路１３に、ハル搬入ステージ１４、第１部品結合ステージ１６、エンジン搭載ステージ１８、第２部品結合ステージ２０、接着剤塗布ステージ２２、デッキ組付けステージ２４、クランプステージ２６、硬化ステージ２８、第３部品結合ステージ３０、完成艇搬出ステージ３２とを備えた例について説明したが、これに限らないで、ステージの数は任意に決めることができる。さらに、走行路１３に検査エリア３８を検査ステージとして備えることも可能である。
【００５７】
また、前記実施形態では、サブ走行路４０に、デッキ搬入ステージ４１、デッキ部品結合ステージ４３及び搬出するデッキ搬出ステージ４５とを備えた例について説明したが、これに限らないで、ステージの数は任意に決めることができる。
【００５８】
さらに、前記実施形態では、接着剤塗布ステージ２２において接着剤塗布装置６０を使用した例について説明したが、その他の装置で接着材を塗布することも可能である。
前記実施形態では、クランプステージ２６においてクランプ７５を使用した例について説明したが、その他の手段でクランプすることも可能である。
【００５９】
前記実施形態では、硬化ステージ２８において接着剤硬化促進装置８０を使用した例について説明したが、その他の装置で硬化することも可能である。
前記実施形態では、サブ走行路４０に使用するデッキ台車３９にデッキ反転手段１００を備えた例について説明したが、その他の反転手段をデッキ台車に備えることも可能である。
【００６０】
【発明の効果】
本発明は上記構成により次の効果を発揮する。
請求項１は、艇体下半部のハルを載せるハル台車が走行する走行路を環状に設け、この走行路にハルを小型滑走艇に組付けるための各ステージを順に配置した。このように、走行路を環状にすることで走行路をコンパクトにできるので、小型滑走艇の製造装置を比較的小さいスペースに設置することができる。
【００６１】
また、環状に設けた走行路にそれぞれのステージを順に配置することで、ハル搬入ステージと完成艇搬出ステージとを隣接させて配置することができる。これにより、完成艇搬出ステージで空になった台車をハル搬入ステージに短時間で戻すことができるので、小型滑走艇を効率よく生産することができる。
【００６２】
さらに、走行路を環状に設けることで、ハル搬入ステージと完成艇搬出ステージとを隣接させて配置することができる。これにより、従来技術のように、完成艇搬出ステージからハル搬入ステージに空の台車を戻すための戻り走行路を備える必要がない。加えて、戻り走行路上に台車を密集させて連続的に配置する必要がないので、台車の使用台数を減らすことができる。このように、台車の戻り走行路を除去することができ、台車の使用台数を減らすことができるので、設備費を抑えることができる。
【００６３】
加えて、サブ走行路を環状に設けることで、デッキ搬入ステージとデッキ搬出ステージとを隣接させて配置することができる。これにより、デッキ搬出ステージで空になった台車をデッキ搬入ステージに短時間で戻すことができるので、サブ走行路における作業を効率よくおこなうことができる。
【００６４】
このように、サブ走行路の作業を効率よくおこなうことで、デッキの生産工程をハルの生産工程に同期させることができる。従って、デッキ組付けステージにハルが到達する時期に合せて、デッキ搬出ステージにデッキを到達させることができるので、ハルにデッキを組付ける作業を効率よくおこなうことができ、生産性を高めることができる。
【００６５】
また、サブ走行路を環状に設けることで、走行路と同様に、デッキ搬出ステージからデッキ搬入ステージに空の台車を戻すための戻り走行路を備える必要がない。加えて、戻り走行路上に台車を密集させて連続的に配置する必要がないので、台車の使用台数を減らすことができる。このように、台車の戻り走行路を除去することができ、さらには台車の使用台数を減らすことができるので、設備費を抑えることができる。
【図面の簡単な説明】
【図１】本発明に係る小型滑走艇の製造装置を示す平面図
【図２】本発明に係る小型滑走艇の製造装置の作用を示す第１作用説明図
【図３】本発明に係る小型滑走艇の製造装置の作用を示す第２作用説明図
【図４】本発明に係る小型滑走艇の製造装置の作用を示す第３作用説明図
【図５】本発明に係る小型滑走艇の製造装置の作用を示す第４作用説明図
【図６】本発明に係る小型滑走艇の製造装置の作用を示す第５作用説明図
【図７】本発明に係る小型滑走艇の製造装置の作用を示す第６作用説明図
【図８】本発明に係る小型滑走艇の製造装置の作用を示す第７作用説明図
【図９】従来の小型滑走艇の製造装置を示す平面図
【符号の説明】
１０…小型滑走艇の製造装置、１１…ハル、１２…ハル台車、１３…走行路、１４…ハル搬入ステージ、１８…エンジン搭載ステージ、２２…接着剤塗布ステージ、２４…デッキ組付けステージ、２６…クランプステージ、３２…完成艇搬出ステージ、３３…エンジン、３４…接着剤、３５…デッキ、３６…艇体、３６ａ…周縁、３７…小型滑走艇、３８…検査エリア、３９…デッキ台車、４０…サブ走行路、４１…デッキ搬入ステージ、４３…デッキ部品結合ステージ、４５…デッキ搬出ステージ。
【図１】
0003737423.tif 000002
【図２】
0003737423.tif 000003
【図３】
0003737423.tif 000004
【図４】
0003737423.tif 000005
【図５】
0003737423.tif 000006
【図６】
0003737423.tif 000007
【図７】
0003737423.tif 000008
【図８】
0003737423.tif 000009
【図９】
0003737423.tif 000010